(57)【要約】【課題】ユーザの投稿情報の多様性に起因するキーワードの乱立、混乱を回避することができる情報投稿閲覧システムを提供する。【解決手段】情報蓄積サーバ１０は、情報入力インタフェース２０から投稿される情報を一定のデータ形式に従って蓄積する。キーワード管理装置４０は、情報蓄積サーバ１０に蓄積された情報を処理し、予め指定されたキーワードと、該キーワードを含む情報の情報ＩＤと、該キーワードの出現頻度からなるキーワード情報リストを作成する。情報閲覧インタフェース３０は、キーワード管理装置４０で作成されたキーワード情報リストに基づいて、頻度高く出現するキーワードを出現頻度とともキーワードリストに表示し、キーワードリストに表示されたキーワードが選択された場合、情報ＩＤに基づいて、キーワードを含む情報を情報一覧画面に表示する。【選択図】図１
2011242892.tif 000002
【特許請求の範囲】
【請求項１】
投稿情報を蓄積する情報蓄積サーバに対してキーワードを用いて検索し、閲覧可能にする情報投稿閲覧システムであって、
投稿情報を入力する情報入力インタフェースと、
前記情報入力インタフェースから入力される投稿情報に情報ＩＤを付与して蓄積する情報蓄積サーバと、
前記情報蓄積サーバに蓄積された投稿情報について、予め指定したキーワードが出現する出現頻度を算出し、該キーワードが出現した投稿情報の情報ＩＤを特定し、特定した前記情報ＩＤを前記出現頻度とともに前記キーワードごとに関連付けてリストしてキーワード情報リストを作成するキーワード管理装置と、
前記キーワード管理装置で作成された前記キーワード情報リストに基づいて、前記キーワードを出現頻度とともに表示する情報閲覧インタフェースと、
を備えることを特徴とする情報投稿閲覧システム。
【請求項２】
前記キーワード管理装置は、前記キーワード情報リストに、前記キーワードの類義語と、該類義語を含む情報の情報ＩＤと、該類義語の出現頻度の情報を含め、前記情報閲覧インタフェースは、前記キーワードおよび前記類義語を出現頻度とともに表示することを特徴とする、請求項１に記載の情報投稿閲覧システム。
【請求項３】
前記キーワード管理装置は、前記情報入力インタフェースからの情報の入力時あるいは一定間隔で前記キーワード情報リストを更新し、前記情報閲覧インタフェースは、更新された前記キーワード情報リストに基づいて、前記キーワードおよび前記類義語を出現頻度とともに表示することを特徴とする、請求項２に記載の情報投稿閲覧システム。
【請求項４】
前記情報閲覧インタフェースは、出現頻度の高い値を有する順に前記キーワードおよび前記類義語を表示することを特徴とする、請求項２または３に記載の情報投稿閲覧システム。
【請求項５】
請求項２に記載の情報投稿閲覧システムにおけるキーワード管理装置であって、
前記キーワード情報リストのエントリーとなるキーワードを予め指定する初期キーワード指定部と、
指定されたキーワードに対してキーワードの類義語を取得して前記キーワード情報リストに出力する類義語辞書部と、
前記キーワードおよび前記キーワードの類義語に関して前記情報蓄積サーバに蓄積された投稿情報の検索を行い、前記キーワードまたは前記キーワードの類義語が含まれる投稿情報の情報ＩＤと出現頻度の情報を取得するキーワード情報処理部と、
取得した前記キーワードまたは前記キーワードの類義語が含まれる投稿情報の情報ＩＤと出現頻度の情報を前記キーワード情報リストに出力するキーワード情報リスト管理部と、
を備えることを特徴とするキーワード管理装置。
【請求項６】
情報交換を行うことを目的とする情報蓄積サーバと、情報入力インタフェースと、情報閲覧インタフェースと、キーワード管理装置からなるシステムの情報投稿閲覧方法において、
前記情報蓄積サーバにおいて、前記情報入力インタフェースから入力される投稿情報に情報ＩＤを付与して蓄積するステップと、
前記キーワード管理装置において、前記情報蓄積サーバに蓄積された投稿情報について、予め指定したキーワードが出現する出現頻度を算出し、該キーワードが出現した投稿情報の情報ＩＤを特定し、特定した前記情報ＩＤを前記出現頻度とともに前記キーワードごとに関連付けてリストしてキーワード情報リストを作成するステップと、
前記情報閲覧インタフェースにおいて、前記キーワード管理装置で作成された前記キーワード情報リストに基づいて、前記キーワードを出現頻度とともに表示するステップと、
を含むことを特徴とする情報投稿閲覧方法。
【請求項７】
請求項１に記載の情報投稿閲覧システムにおけるキーワード管理装置として構成するコンピュータに、
前記情報蓄積サーバに蓄積された投稿情報について、予め指定したキーワードが出現する出現頻度を算出するステップと、
該キーワードが出現した投稿情報の情報ＩＤを特定するステップと、
特定した前記情報ＩＤを前記出現頻度とともに前記キーワードごとに関連付けてリストしてキーワード情報リストを作成するステップと、
を実行させるためのプログラム。
【発明の詳細な説明】
【技術分野】
【０００１】
本発明は、コンピュータネットワーク上に設置されたサーバに投稿者が情報を投稿し、サーバに蓄積された情報をユーザが検索、閲覧するための情報投稿閲覧システム、キーワード管理装置、情報投稿閲覧方法およびプログラムに関するものである。
【背景技術】
【０００２】
従来、特許文献１に開示されているように、コンピュータネットワーク上のサーバに蓄積された情報の効率の良い閲覧のため、閲覧者にタグクラウドを表示して閲覧したい情報へのアクセスの利便を図る例が存在する。また、文書に適切なタグを与えるために予め用意された学習データを用いる技術も存在する。
【先行技術文献】
【特許文献】
【０００３】
【特許文献１】特開２００９−０８６８５８号公報
【発明の概要】
【発明が解決しようとする課題】
【０００４】
特許文献１に記載の技術では、閲覧者はタグクラウドに表示されたキーワードを選択することによって得たい情報をより早く探し出すことを可能にするが、タグクラウドに表示されるキーワードはサーバに蓄積された情報に対して自動的に与えられることが一般的である。また、特許文献１には、タグクラウドに表示されるキーワードの表示位置に工夫を加え、意味の近いキーワードが近くに表示されるなど、ユーザに分かり易く表示する技術も存在する。しかし、この技術においても、サーバに蓄積された情報に対するキーワードは、サーバに蓄積された全情報を対象として候補を抽出する方式のため、キーワードとなる語句は、制約なく出現してしまう可能性があり、タグクラウドに表示されるキーワードが必ずしも投稿内容を的確に表現するものでないこともありうる。また、文書に適切なタグを与えるために予め用意された学習データを用いる技術を用いても、学習データでカバーされない文書に対しては適切でないタグが付与される可能性がある。
【０００５】
本発明は、このような問題点に鑑みてなされたものであり、本発明の目的は、ユーザの投稿情報の多様性に起因するキーワードの乱立、混乱を回避することができる情報投稿閲覧システム、キーワード管理装置、情報投稿閲覧方法およびプログラムを提供することにある。
【課題を解決するための手段】
【０００６】
情報の交換は、一般的に、コンピュータネットワークに設置された情報蓄積サーバと情報入力インタフェースと情報閲覧インタフェースからなるシステム上にて、投稿者が情報入力インタフェースを介して情報蓄積サーバに情報を投稿し、閲覧者が情報閲覧インタフェースを介して情報蓄積サーバの情報を閲覧する。
本発明では、先に記述した課題を解決するため、上記の構成に加えてキーワードを管理する機構を加えたシステムを構成する。ここで、情報を交換するサーバにはサーバ管理者が存在し、その意思に則って重点的に情報交換を行う分野を特定することがあることに着目する。情報を交換するサーバ内の情報に付与されるキーワードは、このような特定の分野で一般的に使用されるものであることが望ましい。よって、サーバ管理者が情報に付与されるキーワードを指定できる機能を加え、指定されたキーワードの中で、サーバに蓄積される情報中に頻度高く出現するキーワードを選択して表示する機能を有するシステムによって先に述べた課題を解決する。
【０００７】
即ち、本発明の情報投稿閲覧システムは、投稿情報を蓄積する情報蓄積サーバに対してキーワードを用いて検索し、閲覧可能にする情報投稿閲覧システムであって、投稿情報を入力する情報入力インタフェースと、前記情報入力インタフェースから入力される投稿情報に情報ＩＤを付与して蓄積する情報蓄積サーバと、前記情報蓄積サーバに蓄積された投稿情報について、予め指定したキーワードが出現する出現頻度を算出し、該キーワードが出現した投稿情報の情報ＩＤを特定し、特定した前記情報ＩＤを前記出現頻度とともに前記キーワードごとに関連付けてリストしてキーワード情報リストを作成するキーワード管理装置と、前記キーワード管理装置で作成された前記キーワード情報リストに基づいて、前記キーワードを出現頻度とともに表示する情報閲覧インタフェースとを備えることを特徴とする。
【０００８】
前記キーワード管理装置は、前記キーワード情報リストに、前記キーワードの類義語と、該類義語を含む情報の情報ＩＤと、該類義語の出現頻度の情報を含め、前記情報閲覧インタフェースは、前記キーワードおよび前記類義語を出現頻度とともに表示することが好ましい。
【０００９】
また、前記キーワード管理装置は、前記情報入力インタフェースからの情報の入力時あるいは一定間隔で前記キーワード情報リストを更新し、前記情報閲覧インタフェースは、更新された前記キーワード情報リストに基づいて、前記キーワードおよび前記類義語を出現頻度とともに表示することが好ましい。
【００１０】
また、前記情報閲覧インタフェースは、出現頻度の高い値を有する順に前記キーワードおよび前記類義語を表示することが好ましい。
【００１１】
また、本発明のキーワード管理装置は、上述した情報投稿閲覧システムにおけるキーワード管理装置であって、前記キーワード情報リストのエントリーとなるキーワードを予め指定する初期キーワード指定部と、指定されたキーワードに対してキーワードの類義語を取得して前記キーワード情報リストに出力する類義語辞書部と、前記キーワードおよび前記キーワードの類義語に関して前記情報蓄積サーバに蓄積された投稿情報の検索を行い、前記キーワードまたは前記キーワードの類義語が含まれる投稿情報の情報ＩＤと出現頻度の情報を取得するキーワード情報処理部と、取得した前記キーワードまたは前記キーワードの類義語が含まれる投稿情報の情報ＩＤと出現頻度の情報を前記キーワード情報リストに出力するキーワード情報リスト管理部とを備えることを特徴とする。
【００１２】
また、本発明の情報投稿閲覧方法は、情報交換を行うことを目的とする情報蓄積サーバと、情報入力インタフェースと、情報閲覧インタフェースと、キーワード管理装置からなるシステムの情報投稿閲覧方法において、前記情報蓄積サーバにおいて、前記情報入力インタフェースから入力される投稿情報に情報ＩＤを付与して蓄積するステップと、前記キーワード管理装置において、前記情報蓄積サーバに蓄積された投稿情報について、予め指定したキーワードが出現する出現頻度を算出し、該キーワードが出現した投稿情報の情報ＩＤを特定し、特定した前記情報ＩＤを前記出現頻度とともに前記キーワードごとに関連付けてリストしてキーワード情報リストを作成するステップと、前記情報閲覧インタフェースにおいて、前記キーワード管理装置で作成された前記キーワード情報リストに基づいて、前記キーワードを出現頻度とともに表示するステップとを含むことを特徴とする。
【００１３】
また、本発明は、上述した情報投稿閲覧システムにおけるキーワード管理装置として構成するコンピュータに、前記情報蓄積サーバに蓄積された投稿情報について、予め指定したキーワードが出現する出現頻度を算出するステップと、該キーワードが出現した投稿情報の情報ＩＤを特定するステップと、特定した前記情報ＩＤを前記出現頻度とともに前記キーワードごとに関連付けてリストしてキーワード情報リストを作成するステップとを実行させるためのプログラムとしての特徴を有する。
【発明の効果】
【００１４】
本発明によれば、ユーザから投稿される情報にキーワードを付与する際、情報蓄積サーバに接続されたキーワード管理装置によって、サーバ管理者が予め指定するキーワードと、それらキーワードから派生する類義語の範囲でキーワードを付与するため、ユーザの投稿情報の多様性に起因するキーワードの乱立、混乱を回避することができる。このため、例えば特定の分野をはずすことなく、多くのユーザに中心となる特定の分野のキーワードを分かり易く提示し、意見や情報の交換を行うことが可能となる。
【図面の簡単な説明】
【００１５】
【図１】本発明の情報投稿閲覧システムの一例を示す図である。
【図２】情報蓄積サーバに蓄積される情報のデータ形式の一例を示す図である。
【図３】情報入力インタフェースが提供するインタフェース画面の一例を示す図である。
【図４】情報閲覧インタフェースが提供するインタフェース画面の一例を示す図である。
【図５】キーワード情報リストの一例を示す図である。
【図６】ユーザの情報投稿に伴う本発明の情報投稿閲覧システムの動作を説明するフローチャートである。
【発明を実施するための形態】
【００１６】
本発明の実施の形態について図面を参照して説明する。図１は、本発明の情報投稿閲覧システムの一例を示す図である。本発明の情報投稿閲覧システムは、情報交換を行うことを目的とするシステムの構成として一般的な情報蓄積サーバ１０と、情報入力インタフェース２０と、情報閲覧インタフェース３０のほか、キーワード管理装置４０によって構成される。情報蓄積サーバ１０は、一般的なＰＣ（Personal Computer)サーバ等によって構成され、ユーザが投稿する情報を蓄積するほか、接続された各装置からの要求に応じて情報の入出力、加工を行う部分である。情報入力インタフェース２０は、設置されたブラウザ等によって実現され、ユーザによる情報蓄積サーバ１０への情報投稿を可能にする。情報閲覧インタフェース３０は、コンピュータネットワークによって情報蓄積サーバ１０と接続され、ユーザによる情報蓄積サーバ１０の中に蓄積された情報への閲覧を可能にする。これもブラウザ等によって実現することができる。キーワード管理装置４０は、コンピュータネットワークを介して情報蓄積サーバ１０と接続されたＰＣによって構成するか、あるいは情報蓄積サーバ１０を構成するＰＣサーバ内のソフトウエアによって実現する。以下に、各構成要素の機能を詳述する。
【００１７】
情報蓄積サーバ１０は、情報入力インタフェース２０、情報閲覧インタフェース３０、キーワード管理装置４０とネットワークを介して接続されている。情報蓄積サーバ１０は、情報入力インタフェース２０から入力される情報を、情報ＩＤを付与して一定のデータ形式に従って蓄積する。また、情報閲覧インタフェース３０からの要求に応じて、蓄積された情報を検索し、検索結果を情報閲覧インタフェース３０に提示する。さらに、キーワード管理装置４０からの要求に応じて、蓄積された情報に対してキーワードの検索を実施し、蓄積された情報の中で検索対象のキーワードを含む情報の情報ＩＤをキーワード管理装置４０に出力する。情報蓄積サーバ１０に蓄積される情報のデータ形式の一例を図２に示す。情報蓄積サーバ１０に蓄積されるデータは、情報ＩＤと、投稿者と、投稿本文の情報からなる。
【００１８】
情報入力インタフェース２０は、本システムのユーザに対して情報を投稿（入力）するインタフェースを提供する。情報入力インタフェース２０は、ユーザに対して、例えば、図３に示すような、「タイトル入力」、「情報本文入力」、「キーワードリスト」の項目からなるインタフェース画面を表示し、情報入力を受け付ける。「キーワードリスト」には、現時点で情報蓄積サーバ１０を介して交換されている情報の中の頻出キーワードをその出現頻度とともに表示する。
【００１９】
情報閲覧インタフェース３０は、本システムのユーザに対して情報を閲覧するインタフェースを提供する。情報閲覧インタフェース３０は、ユーザに対して、例えば、図４に示すようなインタフェース画面を表示し、「情報一覧」等とともに「キーワードリスト」の情報を表示する。ユーザは、情報を閲覧する際、「情報一覧」に表示された情報の中から選択して表示することができる。また、ユーザが「キーワードリスト」に表示されたキーワードを選択した場合、当該キーワードを含む情報を「情報一覧」に表示する。ユーザは、この一覧の中から情報を選択することでキーワードを含む情報を閲覧することができる。
【００２０】
キーワード管理装置４０は、ネットワークを介して情報蓄積サーバ１０とデータの授受を行う。あるいは、キーワード管理装置４０が、情報蓄積サーバ１０を構成するＰＣサーバ内のソフトウエアによって実現される場合は、ＰＣサーバ内のメモリ等を通して情報蓄積サーバ１０とデータの授受を行う。キーワード管理装置４０は、情報蓄積サーバ１０に蓄積された情報を処理し、キーワード情報リストを作成する。図５にキーワード情報リストの一例を示す。キーワード情報リストは、入力キーワードと、入力キーワードを含む情報の情報ＩＤ（キーワード使用情報ＩＤ）と、入力キーワードの出現頻度と、入力キーワードの類義語と、類義語を含む情報の情報ＩＤ（類義語使用情報ＩＤ）と、類義語の出現頻度の情報からなる。
【００２１】
キーワード管理装置４０は、初期キーワード指定部４１と類義語辞書部４２とキーワード情報処理部４３とキーワード情報リスト管理部４４からなり、各構成部の機能は以下に示すとおりである。
【００２２】
初期キーワード指定部４１は、情報蓄積サーバ１０のサーバ管理者が本システムにて情報の交換を行いたい内容のキーワード（複数）を指定し、入力する部分である。入力されたキーワードは、キーワード情報リスト管理部４４で管理するキーワード情報リストのエントリーとなる。
【００２３】
類義語辞書部４２は、入力されるキーワードに対してその類義語を出力する。即ち、図５に示すキーワード情報リストの入力キーワードを入力とし、類義語の欄に出力する。
【００２４】
キーワード情報処理部４３は、キーワード情報リストにエントリーされたキーワードやキーワードの類義語に関して情報蓄積サーバ１０に蓄積された情報の検索を行い、該キーワードや類義語が含まれる情報ＩＤと出現頻度の情報をキーワード情報リスト管理部４４に送信する。
【００２５】
キーワード情報リスト管理部４４は、図５に例示されるキーワード情報リストを管理し、キーワード情報処理部４３から送られるキーワードやキーワードの類義語が含まれる情報の情報ＩＤと出現頻度の情報をキーワード情報リストに出力してキーワード情報処理部４３から送られる情報の管理を行う。
【００２６】
次に、本発明の情報投稿閲覧システムの動作について説明する。図６は、ユーザの情報投稿に伴う本発明の情報投稿閲覧システムの動作を説明するフローチャートである。
【００２７】
情報蓄積サーバ１０のサーバ管理者は、キーワード管理装置４０の初期キーワード指定部４１を動作させて初期キーワードを指定する（Ｓ１０１）。
【００２８】
ユーザは、情報入力インタフェース２０を使用して、図３に示すインタフェース画面から情報を投稿する（Ｓ１０２）。システム運用開始当初は、図３の「キーワードリスト」にキーワードがない状態のもとで情報の投稿を行う。この場合、情報入力インタフェース２０は、頻出キーワードを提示しない状態で、ユーザに対して図３に示す画面を表示し、情報入力を受け付ける。サーバ管理者が指定する一定の数量の情報が蓄積されるまで、この動作によって情報の蓄積を継続する。
【００２９】
キーワード管理装置４０は、動作を開始し、キーワード管理装置４０の各構成部で処理を行って、図５に示すキーワード情報リストを作成し、作成されたキーワード情報リストを情報蓄積サーバ１０に送信する（Ｓ１０３）。情報入力インタフェース２０および情報閲覧インタフェース３０は、情報蓄積サーバ１０からキーワード情報リストを取得し、取得したキーワード情報リストに基づき、頻度高く出現するキーワードを、それらの出現頻度とともに「キーワードリスト」に表示する。これは例えば、キーワード情報リスト内で、サーバ管理者が指定する一定数の頻度以上出現するキーワードを表示すればよい。
【００３０】
情報入力インタフェース２０を介してユーザからの情報投稿が継続され（Ｓ１０４）、投稿に伴ってキーワード管理装置４０は、動作を繰り返し、投稿時あるいは一定間隔で、キーワード情報リストを更新する（Ｓ１０５）。
【００３１】
更新されたキーワード情報リストは、情報蓄積サーバ１０を通じて情報入力インタフェース２０や情報閲覧インタフェース３０に伝達される。キーワード情報リストが、情報入力インタフェース２０や情報閲覧インタフェース３０に伝達されると、それぞれの「キーワードリスト」が順次、更新される（Ｓ１０６）。
また、情報閲覧インタフェース３０にてキーワードが選択された場合、図５に示すキーワード情報リストから当該キーワードを含む情報の情報ＩＤを情報閲覧インタフェース３０に供給し、「情報一覧」に表示することで当該キーワードを含む情報一覧が作成される。
【００３２】
なお、キーワード情報リストから、情報入力インタフェース２０および情報閲覧インタフェース３０の「キーワードリスト」に表示するキーワードを選択する際、情報蓄積サーバ１０のサーバ管理者が指定したキーワードのうち、出現頻度の高いものをリストすることもできるし、類義語を含めて出現頻度の高いものをリストすることもできる。これはサーバ管理者が指定すればよい。
【符号の説明】
【００３３】
１０  情報蓄積サーバ
２０  情報入力インタフェース
３０  情報閲覧インタフェース
４０  キーワード管理装置
４１  初期キーワード指定部
４２  類義語辞書部
４３  キーワード情報処理部
４４  キーワード情報リスト管理部
【図１】
2011242892.tif 000003
【図２】
2011242892.tif 000004
【図３】
2011242892.tif 000005
【図４】
2011242892.tif 000006
【図５】
2011242892.tif 000007
【図６】
2011242892.tif 000008